(57)【要約】【課題】全厚が薄くて可撓性を有し、加工性が良くて、平面的には勿論のこと、円筒ポール等の曲面構造物や凹凸のある構造物に対しても直接貼り付け、かつ固着具を用いて装着し得る電波吸収体シートを提供すること。【解決手段】無線通信システム運用の際に生じる不要電波を吸収抑制するための電波吸収体シートであって、高耐性アクリルエラストマーと吸収素材との配合体である軟質ゴム状の電波吸収体１１の一方全面に反射板部材１３と接着剤層又は両面接着テープ１４が積層され、かつ全厚が３〜８mmの範囲内から選ばれる厚さであって、全体的に可撓性を有し、前記システムにおける既存の周辺構造物に対し、その強度に影響を及ぼす類いの加工を施すことなく、固着具を用いて平坦面のみならず、円筒状ポール等の曲面構造物に対しても直接装着することができる。【選択図】      図１
2004207328.tif 000002
【特許請求の範囲】
【請求項１】
高速道路交通システムにおける自動料金収受システムや安全運転支援システムの無線通信システム運用の際に生じる不要電波を吸収抑制するための電波吸収体シートであって、
軟質ゴム状の電波吸収体の一方全面に反射板部材と接着剤層が積層され、かつ全厚が３〜８mmの範囲内から選ばれる厚さであって、全体的に可撓性を有し、前記システムにおける既存の周辺構造物に対し、その強度に影響を及ぼす類いの加工を施すことなく、固着具を用いて平坦面のみならず、円筒状ポール等の曲面構造物に対しても直接装着し得る構成を特徴とする電波吸収体シート。
【請求項２】
前記軟質ゴム状の電波吸収体は、高耐性アクリルエラストマーと吸収素材との配合体であることを特徴とする請求項１の電波吸収体シート。
【請求項３】
前記軟質ゴム状の電波吸収体は、前記配合体が複数層積層されて形成されていることを特徴とする請求項１の電波吸収体シート。
【請求項４】
前記吸収素材は、カーボニール鉄系、Ｎｉ−Ｚｎ系フェライト、チタン酸バリュウム、カーボンから選択されたいずれか一つ又はこれらの組み合わせからなる吸収素材であることを特徴とする請求項２または３のいずれか１項の電波吸収体シート。
【発明の詳細な説明】
【０００１】
【発明の属する技術分野】
本発明は、高速道路交通システムにおける自動料金収受システムや安全運転支援システムの無線通信システム運用の際に生じる不要電波を吸収抑制するための電波吸収体シートに関するものである。
【０００２】
【従来の技術】
近年、高速道路交通システムにおいて実施をされている自動料金収受システム（以下、ＥＴＣシステムという）は、車内に搭載した車載器側アンテナと料金所に設置した道路側アンテナとの間における双方向の無線通信により料金情報のやり取りが行われて、車が料金所で一時停止することなく自動的に料金の収受が行われるシステムである。
【０００３】
このＥＴＣシステムにおいては、料金情報を双方向通信する電波が多重反射する可能性があって、双方向の通信が正常に行われないという不具合を生じる。
【０００４】
そこで、この不具合を解消するため、料金所やその周辺構造物の適所に、双方向の通信において発生する不要な電波を吸収抑制する手段が施されている。
【０００５】
この不要電波の吸収抑制手段としては、料金所やその周辺構造物に電波吸収パネルを取付金具を介して取り付ける技術が知られている（例えば、特開２００１−２１７６４５公報参照）。
【０００６】
ところで、従来の電波吸収パネルは、電波吸収体とこの電波吸収体を保持する保持部としてのパネル本体と、電波吸収体を保護する保護部材とから構成され、その全厚は厚くて可撓性が無く、加工性にも劣り、取付構造物が円筒ポール等の曲面構造物の場合には、曲面に直接取り付けることができないため、その構造物に加工を施して平面的に取り付けなければならないという問題点があった。
【０００７】
【発明が解決しようとする課題】
本発明は、このような問題点に鑑みなされたもので、その目的とするところは、全厚が薄くて可撓性を有するシート状であって、加工性が良く、平面的には勿論のこと、円筒ポール等の曲面構造物や凹凸のある構造物に対しても、構造物に加工を施すことなく、直接貼り付け、かつ固着具を用いて速やかにして容易、確実に装着し得る電波吸収体シートを提供することにある。
【０００８】
【課題を解決するための手段】
この目的を達成するためになされた本発明の請求項１に記載の電波吸収体シートは、高速道路交通システムにおける自動料金収受システムや安全運転支援システムの無線通信システム運用の際に生じる不要電波を吸収抑制するための電波吸収体シートであって、軟質ゴム状の電波吸収体の一方全面に反射板部材と接着剤層が積層され、かつ全厚が３〜８mmの範囲内から選ばれる厚さであって、全体的に可撓性を有し、前記システムにおける既存の周辺構造物に対し、その強度に影響を及ぼす類いの加工を施すことなく、固着具を用いて平坦面のみならず、円筒状ポール等の曲面構造物に対しても直接装着し得る構成を特徴とするものである。
【０００９】
本発明の請求項２に記載の電波吸収体シートは、軟質ゴム状の電波吸収体が高耐性アクリルエラストマーと吸収素材との配合体であることを特徴とするものである。
【００１０】
本発明の請求項３に記載の電波吸収体シートは、軟質ゴム状の電波吸収体が前記複数の配合体が積層されて形成されていることを特徴とするものである。
【００１１】
本発明の請求項４に記載の電波吸収体シートは、吸収素材がカーボニール鉄系、Ｎｉ−Ｚｎ系フェライト、チタン酸バリュウム、カーボンから選択されたいずれか一つ又はこれらの組み合わせからなる吸収素材であることを特徴とするものである。
【００１２】
【発明の実施の形態】
以下、本発明の実施の形態について図面を参照し、その作用と共に説明する。
【００１３】
本発明に係る電波吸収体シートは、高速道路交通システムにおける自動料金収受システムや安全運転支援システムの無線通信システム運用の際に生じる不要電波を吸収抑制するため、料金所やその周辺構造物に装着してシステムの誤動作を防止するもので、全体が薄くて可撓性を有するシート状で、平面構造物のみならず曲面或いは凹凸を有する構造物に対しても直接貼り付け装着することができる。
【００１４】
以下、実施例について説明する。図１は、本発明に係る電波吸収体シートの一例での一部省略の断面図で、同図において、電波吸収体シート１０は、軟質ゴム状の電波吸収体１１の一方全面に接着剤層１２を介して反射板部材１３が積層されるとともに、反射板部材１３の全面には接着剤層又は両面接着テープ部材１４が設けられ、更に接着剤層又は両面接着テープ部材１４の全面には剥離紙１５が設けられ、又、電波吸収体１１の他方全面には接着剤層１６を介して保護フィルム部材１７が設けられて構成されている。
【００１５】
電波吸収体１１は、高耐性アクリルエラストマーと吸収素材との配合体である単層又は積層された複数層からなる平坦シート状である。
【００１６】
なお、本明細書中で使用している用語「吸収素材」とは、磁性材、誘電体及び導電体を言い、これらにはカーボニール鉄系、Ｎｉ−Ｚｎ系フェライト、チタン酸バリュウム、カーボンが用いられる。
【００１７】
単層での電波吸収体１１は、基本的には高耐性アクリルエラストマーと吸収素材であるカーボニール鉄系磁性材との配合体１１ａからなる。
【００１８】
複数層からなる電波吸収体１１は、図２に例示されているように、高耐性アクリルエラストマーとカーボニール鉄系磁性材との配合体１１ａ、高耐性アクリルエラストマーとカーボンとの配合体１１ｂ、高耐性アクリルエラストマーとＮｉ−Ｚｎ系フェライトとの配合体１１ｃからなり、これら配合体の積層配列を変えることにより電波の斜入射特性、吸収量が変化する。
【００１９】
反射板部材１３は、入射する電波の反射機能を有し、アルミニウム箔又は合金板、鉄板等が用いられが、通常は加工性の点、軽量化の観点からアルミニウム箔が用いられる。
【００２０】
なお、反射板部材１３の材質は、取り付け施工箇所毎に適宜選定される。
【００２１】
保護フィルム部材１７は、高耐候性表面を有する塩化ビニール系フィルム、好ましくはカラーフィルムであって、屋外での使用のため、電波吸収体１１を覆って、水分から電波吸収体１１を保護するとともに、本電波吸収体シート１０か取付場所により色分けされて取り付けられる場合には、取付場所に対応した該当色の本電波吸収体シート１０を間違いなく取り付け得るようになっている。
【００２２】
このように構成された電波吸収体シート１０は、その全厚が３〜８mmの範囲内から選ばれる。
【００２３】
本電波吸収体シート１０は、ＥＴＣシステムにおける料金所やその周辺構造物に取り付けられて、不要電波を吸収抑制するために用いられるが、その取り付けを図３〜図６に例示した構造物について説明する。
【００２４】
図３は、既設ガントリーフレーム２０（以下、構造物２０という）に対する取付施工例を示す一部省略の概略側面図であり、図４は、図３の４−４線に沿った断面図である。蔽用着衣を背広上着に適用した実施例での概略部分正面図である。
【００２５】
これら図において、電波吸収体シート１０の両端縁部１８の内側に断面Ｌ形の止め金具２１が取り付けられ、この加工された電波吸収体シート１０が、構造物２０の上面部２２を除いた底面部２３と両側面部２４の外周面に、接着剤層又は両面接着テープ１４を介して貼り付け固定されるとともに、電波吸収体シート端縁部１８が上面部２２上に位置した止め金具２１と、冠着された上部防水蓋２５の両側面部２６とで挟持された状態で止めねじ２７により固着されて取り付けられる。
【００２６】
図５は、円筒建造物である既設の高さ制限バー３０（以下、円筒構造物３０という）に対する取付施工例を示す一部省略の概略側面図であり、図６は、図５の６方向から見た線図的端面図である。
【００２７】
これら図において、電波吸収体シート１０の両端縁部１８の外側に細帯状の押え板３１が止めねじ３２によってそれぞれ取り付けられるとともに、この両押え板３１には、前後一対の止めバンド３３と止め金具３４が固着され、この加工された電波吸収体シート１０は、円筒構造物３０の半周部分に、水抜きガイド３５を設けてその接着剤層又は両面接着テープ１４を介して貼り付け固定され、着脱容易構造の止めバンド３３と止め金具３４により円筒構造物３０の外周に巻着固定される。
【００２８】
【発明の効果】
以上説明したように、本発明に係る電波吸収体シートによれば、可撓性を有して加工性が良く、平面的には勿論のこと、円筒ポール等の曲面構造物や凹凸のある構造物に対しても、構造物に加工を施すことなく、直接貼り付け、かつ固着具を用いて速やかにして容易、確実に装着することができる。
【図面の簡単な説明】
【図１】本発明に係る電波吸収体シートの一例での一部省略の断面図である。
【図２】電波吸収体の一例を示す一部省略の断面図である。。
【図３】構造物である既設ガントリーフレームに対する本電波吸収体シートの取付施工例を示す一部省略の概略側面図である。
【図４】図３の４−４線に沿った断面図である。
【図５】円筒建造物である既設の高さ制限バーに対する本電波吸収体シートの取付施工例を示す一部省略の概略側面図である。
【図６】図５の６方向から見た線図的端面図である。
【符号の説明】
１０    本電波吸収体シート
１１    電波吸収体
１１ａ、１１ｂ、１１ｃ    電波吸収体を形成する配合体
１２、１６    接着剤層
１３    反射板部材
１４    接着剤層又は両面接着テープ
２０、３０    構造物
【図１】
2004207328.tif 000003
【図２】
2004207328.tif 000004
【図３】
2004207328.tif 000005
【図４】
2004207328.tif 000006
【図５】
2004207328.tif 000007
【図６】
2004207328.tif 000008